(57)【要約】【課題】ＯＣＲ処理に用いる画像の歪みや影の発生を防止して、認識正読率を向上させる非接触型スキャナ装置を提供する。【解決手段】帳票を載置する載置台３と、載置台３上に載置された帳票を撮影するカメラ部２とを備えた非接触型スキャナ装置１において、載置台３に、帳票を載置する直方体の載置マット７と、載置マットに載置された帳票の一の隅を構成する２辺をガイドするガイド面９ａ、９ｂを有するガイドマット８とを設けると共に、ガイドマット８と載置マット７との上面を押圧する透明な押え板１０を設け、ガイドマット８の高さを載置マット７の高さより高く設定し、ガイド面９ａ、９ｂに載置マット７の一の隅を構成する２面を当接させて配置する。【選択図】        図１
2008236566.tif 000002
【特許請求の範囲】
【請求項１】
読取対象を載置する載置台と、該載置台上に載置された前記読取対象を撮影するカメラ部とを備えた非接触型スキャナ装置において、
前記載置台に、前記読取対象を載置する直方体の載置マットと、該載置マットに載置された前記読取対象の一の隅を構成する２辺をガイドするガイド面を有するガイドマットとを設けると共に、前記ガイドマットと前記載置マットとの上面を押圧する透明な押え板を設け、
前記ガイドマットの高さを、前記載置マットの高さより高く設定し、前記ガイド面に前記載置マットの一の隅を構成する２面を当接させて配置したことを特徴とする非接触型スキャナ装置。
【請求項２】
請求項１において、
前記ガイドマットの反発力を、前記載置マットの反発力より弱くしたことを特徴とする非接触型スキャナ装置。
【請求項３】
請求項１または請求項２において、
前記ガイドマットと、前記載置マットとのそれぞれの裏面を、１枚のシート部材に貼付したことを特徴とする非接触型スキャナ装置。
【請求項４】
読取対象を載置する載置台と、該載置台上に載置された前記読取対象を撮影するカメラ部とを備えた非接触型スキャナ装置において、
前記載置台に、直方体の第１の載置マットと、該第１の載置マットより高い高さを有する直方体の第２の載置マットと、該第２の載置マットより高い高さを有する直方体のガイドマットを設けると共に、前記ガイドマットと前記第１の載置マットと第２の載置マットとの上面を押圧する透明な押え板を設け、
前記第１の載置マットの一の面と、前記第２の載置マットの一の面とを前記ガイドマットの一の面である当接面に当接させると共に、前記第１および第２の載置マットを隣接させて配置し、
前記当接面と、前記第１の載置マットが隣接する前記第２の載置マットの側面とを、前記第１の載置マットに載置された前記読取対象の一の隅を構成する２辺をガイドするガイド面としたことを特徴とする非接触型スキャナ装置。
【請求項５】
請求項４において、
前記第１および第２の載置マットの反発力を同じにし、前記ガイドマットの反発力を、前記第１および第２の載置マットの反発力より弱くしたことを特徴とする非接触型スキャナ装置。
【請求項６】
請求項４または請求項５において、
前記ガイドマットと、前記第１および第２の載置マットとのそれぞれの裏面を、１枚のシート部材に貼付したことを特徴とする非接触型スキャナ装置。
【発明の詳細な説明】
【技術分野】
【０００１】
本発明は、伝票や診療報酬証明書等の読取対象の画像の記載内容をＯＣＲ処理で読取る文字読取システム等に用いられ、帳票の画像を取得する非接触型スキャナ装置に関する。
【背景技術】
【０００２】
従来の非接触型スキャナは、読取対象である帳票を載置する載置台と、正方格子状のガイド線を有し、載置台の上面に設けられたマットと、アームに取付けられて載置台の上方に位置し、載置台のマット上に載置された帳票を撮影するカメラ部とを備え、マットのガイド線に沿わせてセットされた帳票の画像をカメラ部で撮影し、撮影されたマットのガイド線を基に帳票の４隅を検出し、その後に画像の記載内容をＯＣＲ（Ｏｐｔｉｃａｌ  Ｃｈａｒａｃｔｅｒ  Ｒｅｃｏｇｎｉｔｉｏｎ）処理で読取っている（例えば、特許文献１参照。）。
【特許文献１】特開２００４−３２８１８３号公報（主に第５頁段落００１７−００２１、第６頁段落００３０−００３２、第１図、第７図、第９図）
【発明の開示】
【発明が解決しようとする課題】
【０００３】
しかしながら、上述した従来の技術においては、載置台のマット上に載置された帳票の画像をカメラ部で撮影しているため、帳票に折れ跡やカールがある場合にはその部位の画像に歪みや影が現れ、ＯＣＲ処理における不読や誤読が発生して認識正読率が低下するという問題がある。
また、矩形の帳票を、載置台のマットの格子状のガイド線に沿わせて載置し、その画像をカメラ部で撮影しているため、担当者はガイド線に沿わせて帳票をマット上に載置しなければならず、帳票の読取作業に要する時間が長くなって作業効率が低下する共に、ガイド線から帳票が斜めにずれてしまうと、ＯＣＲ処理における不読や誤読の要因になり、認識正読率が低下するという問題がある。
【０００４】
更に、読取対象となる帳票は１枚ものの単票に限らず、単票を３０枚程度を糊付けで束ねた複票も存在するため、担当者は糊付け部を慎重に剥して単票とした後に画像を取得する必要があり、カールや折れ跡が発生しやすくなり、ＯＣＲ処理における不読や誤読が多発して認識正読率が低下するという問題がある。
本発明は、上記の問題点を解決するためになされたもので、ＯＣＲ処理に用いる画像の歪みや影の発生を防止して、認識正読率を向上させる手段を提供することを目的とする。
【課題を解決するための手段】
【０００５】
本発明は、上記課題を解決するために、読取対象を載置する載置台と、該載置台上に載置された前記読取対象を撮影するカメラ部とを備えた非接触型スキャナ装置において、
前記載置台に、前記読取対象を載置する直方体の載置マットと、該載置マットに載置された前記読取対象の一の隅を構成する２辺をガイドするガイド面を有するガイドマットとを設けると共に、前記ガイドマットと前記載置マットとの上面を押圧する透明な押え板を設け、前記ガイドマットの高さを、前記載置マットの高さより高く設定し、前記ガイド面に前記載置マットの一の隅を構成する２面を当接させて配置したことを特徴とする。
【発明の効果】
【０００６】
これにより、本発明は、載置マットから突出させたガイド面により位置決めされた読取対象を、押え板により載置台の上面と面一になるように押圧して押え板に密着させることが可能になり、読取対象に折れ跡やカールがある場合や、複票のように厚さが厚い読取対象においても、読取対象の記載面を水平にし、かつカメラ部との距離を常に一定に保つことができ、撮影した画像の歪みや影によるＯＣＲ処理における不読や誤読の発生を防止して、認識正読率を向上させることができるという効果が得られる。
【発明を実施するための最良の形態】
【０００７】
以下に、図面を参照して本発明による非接触型スキャナ装置の実施例について説明する。
【実施例１】
【０００８】
図１は実施例１の非接触型スキャナ装置の斜視を示す説明図、図２は実施例１の非接触型スキャナ装置の側面を示す説明図、図３は実施例１の載置台の上面を示す説明図である。
１は非接触型スキャナ装置であり、図示しないＯＣＲ装置に接続しており、矩形の読取対象Ｔとしての伝票や診療報酬証明書（複票を含む。）等の帳票をカメラ部２で撮影し、その画像データをＯＣＲ装置へ送出する機能を有している。
【０００９】
カメラ部２は、ＣＣＤ（Ｃｈａｒｇｅ  Ｃｏｕｐｌｅｄ  Ｄｅｖｉｃｅ）等の光を検出する複数の画素を密に２次元に配置して、帳票の画像を撮影するカメラを備えており、載置台３に立設されたアーム４に取付けられて載置台３の上面３ａの上方に、載置台３の上面３ａにカメラの視野を対向させて設置されている。
５は照明部であり、載置台３の上面３ａに光を照射するランプを備えている。
【００１０】
６は開始スイッチであり、載置台３の上面３ａに設けられており、カメラ部２により帳票の画像を取得するときに押下する。
７は載置マットであり、合成ゴムや樹脂材料等で形成された弾性を有するスポンジからなる直方体状のシート部材であって、読取対象Ｔとなる帳票等を載置することが可能な大きさの上面７ａを有している。
【００１１】
８はガイドマットであり、合成ゴムや樹脂材料等で形成された弾性を有するスポンジで、載置マット７とは別体に形成されたＬ字状部材であって、図３に示すように、そのＬ字状の内側の面であるガイド面９ａ、９ｂに載置マット７の一の隅（図３に示すＡ部）を構成する２面を当接させて配置することにより、これらの裏面が矩形になるように構成されている。
【００１２】
１０は押え板であり、ガラス板等の比較的剛性の高い透明な板部材であって、載置台３のアーム４側の両端部に設けられたヒンジ部１１により載置台３の上面３ａにその下面が当接するように回動自在に取付けられ、そのヒンジ部１１の反対側の開放端には押え板１０を開閉するための把手１２が取付けられている。
本実施例の載置マット７とガイドマット８のそれぞれの高さは、載置マット７の方が低く形成されており、図３に示すように、載置マット７の一の隅を構成する２面をガイド面９ａ、９ｂ当接させて組合せ、載置台３の上面３ａに設けられた凹部１３（図２参照）に遊嵌させて着脱可能に嵌め込んだときに、ガイド面９ａ、９ｂが載置マット７の上面７ａから突出して段差が形成され、その突出したガイド面９ａ、９ｂが、帳票の一の隅（図３に示すＡ部）を構成する２辺をガイドして、載置マット７上に帳票をセットするときの位置決めガイドとして機能する。
【００１３】
また、載置マット７とガイドマット８は、上記のように、いずれも弾性を有するスポンジにより形成され、その反発力はガイドマット８が載置マット７より弱く形成されて同じ力で押圧した場合の変形量はガイドマット８の方が大きくなっており、押え板１０の把手１２により押え板１０を閉作動させて、ガイドマット８の上面、および載置マット７の上面７ａを押圧し、押え板１０の下面を載置台３の上面３ａに当接させたときに、それぞれの上面が面一になるように形成されている。
【００１４】
また、載置マット７およびガイドマット８を形成するスポンジの材質は、画像品質に影響を与えない素材で黒色等の明度の低い色に着色され、安全性を考慮して、少なくとも照明部６のランプの熱によっては変形を生じない耐熱性や耐火性を有している。
上記の構成の作用について説明する。
本実施例の非接触型スキャナ装置１を用いて帳票の画像を取得する場合は、担当者は帳票の記載面をカメラ部２側に向けて、帳票の一の隅を構成する２辺を突出したガイド面９ａ、９ｂに沿わせて載置マット７の上面７ａにセットし、押え板１０を閉作動させて、ガイドマット８の上面、および帳票を介して載置マット７の上面７ａを押圧し、押え板１０の下面を載置台３の上面３ａに当接させる。
【００１５】
このとき、図４に示すように、押え板１０に押圧された帳票により載置マット７の上面７ａが沈み込み、その上面は載置台３の上面３ａと面一になって水平が保たれ、カメラ部２のカメラとの距離は常に一定に保たれる。
また、載置マット７とガイドマット８とは、別体に形成され、ガイドマット８の反発力を弱くなっているので、ガイドマット８を弱い力で大きく変形させることができると共に、変形量が異なっていてもそれぞれの変形量を自身が吸収して独立に変形するため、相互に影響を与えることはなく、例えば図５に示すように載置マット７とガイドマット８とを接着剤等で接合して一体に形成した場合のように、ガイドマット８の大きな変形に伴って載置マット７のガイドマット８との接合部１５が変形して空間が生じ、帳票の端部が自重により垂れて変形することが防止される。
【００１６】
次いで、担当者が開始スイッチ６を押下すると、図示しないＯＣＲ装置から画像の取得信号が送出され、照明部５が点灯し、カメラ部２のカメラにより帳票の画像を撮影し、これをデジタル変換した画像データがＯＣＲ装置へ転送される。
そして、ＯＣＲ装置により転送された画像データの画像処理やレイアウト解析、文字切り出し、漢字やひらがな、数字の文字認識処理が行われ、帳票の記載内容がデータ化される。
【００１７】
このように、本実施例では、載置マット７を、別体に形成したガイドマット８より低い高さに形成し、これにより突出したガイド面９ａ、９ｂを位置決めガイドとして機能させるので、担当者は帳票を決められた位置に容易にセットすることができ、ガイド線に沿わせて帳票をマット上に載置する作業を不要にして、帳票の読取作業に要する時間を短縮することが可能になり、その作業効率を向上させることができると共に、位置決めガイドから帳票が斜めにずれることはなく、ＯＣＲ処理における不読や誤読の発生を防止して、認識正読率を向上させることができる。
【００１８】
また、載置マット７とガイドマット８とを異なる材質のスポンジで別体に形成し、ガイドマット８の方の反発力を弱くして、位置決めガイドにより位置決めされた帳票を押え板１０により、載置台３の上面３ａと面一になるように押圧するので、帳票に折れ跡やカールがある場合においても、帳票の記載面を水平にして押え板１０に密着させ、かつカメラ部２のカメラとの距離を常に一定に保つことができ、撮影した画像の歪みや影によるＯＣＲ処理における不読や誤読の発生を防止して、認識正読率を向上させることができる。
【００１９】
このことは、複票のように帳票が厚い場合においても、帳票の厚さに応じて載置マット７の上面７ａが沈み込むので、帳票を厚いままセットしてその最上位の単票の記載内容の画像を撮影することができ、糊付け部を慎重に剥して単票とすることを不要にして前記と同様の効果を得ることができると共に、画像の取得後に、最上位の単票から順に剥して帳票の画像を撮影することが可能になり、複票の記載内容の読取作業における作業時間を短縮することができる。
【００２０】
以上説明したように、本実施例では、載置台に帳票を載置する直方体の載置マットと、載置マットに載置された帳票の一の隅を構成する２辺をガイドするガイド面を有するガイドマットとを設けると共に、ガイドマットと載置マットとの上面を押圧する透明な押え板を設け、ガイドマットの高さを、載置マットの高さより高く設定してガイド面に載置マットの一の隅を構成する２面を当接させて配置すると共に、ガイドマットの反発力を載置マットの反発力より弱く設定したことによって、載置マットから突出させたガイド面により位置決めされた帳票を、押え板により載置台の上面と面一になるように押圧して押え板に密着させることが可能になり、帳票に折れ跡やカールがある場合や、複票のように厚さが厚い場合においても、帳票の記載面を水平にし、かつカメラ部のカメラとの距離を常に一定に保つことができ、撮影した画像の歪みや影によるＯＣＲ処理における不読や誤読の発生を防止して、認識正読率を向上させることができる。
【００２１】
なお、本実施例においては、ガイドマット８のガイド面９ａ、９ｂに、別体に形成した載置パッド７を当接させて組合せ、これらを載置台３に設けられた凹部１３に遊嵌させて着脱可能に嵌め込むとして説明したが、図６に示すように、ガイドマット８と別体にした載置マット７とを組合せた後に、それぞれの裏面を、樹脂材料等で形成した比較的剛性の高い１枚のシート部材１８に貼付して、載置台３の凹部１３に着脱可能に嵌め込むようにしてもよい。このようにすれば、シート部材１８に貼付されたガイドマット８と載置マット７とが独立に変形すると共に、これらが分離することがなくなるので、取外し後の載置マット７とガイドマット８との管理が容易になる他、載置マット７の大きさを変更するとき等に、適切な組合せの載置マット７とガイドマット８とを容易に選択することができる。
【実施例２】
【００２２】
図７は実施例２の載置マットとガイドマットの斜視を示す説明図である。
なお、上記実施例１と同様の部分は、同一の符号を付してその説明を省略する。
本実施例の載置台３の凹部１３には、図７に示すように、実施例１の載置マット７と同様のスポンジで直方体に形成された第１の載置マット２１と、実施例１の載置マット７と同様のスポンジで第１の載置マット２１より高い高さの直方体に形成された第２の載置マット２２と、実施例１のガイドマット８と同様のスポンジで第２の載置マット２２より高い高さの直方体に形成されたガイドマット２３とが、第１の載置マット２１の一の面と第２の載置マット２２の一の面とを、ガイドマット２３の一の面である当接面２３ａに当接させ、かつ第１および第２の載置マット２１、２２を隣接させて嵌め込まれている。
【００２３】
また、第１および第２の載置マット２１、２２は同じ反発力に設定され、ガイドマット２３の反発力は、第１および第２の載置マット２１、２２の反発力より弱く設定されており、押え板１０を閉作動させて、ガイドマット２３の上面、並びに第１の載置マット２１の上面２１ａ、および第２の載置マット２２の上面２２ａを押圧し、押え板１０の下面を載置台３の上面３ａに当接させたときに、それぞれの上面が面一なるように形成されている。
【００２４】
更に、上記のように組合されて凹部１３に嵌め込まれたときに、ガイドマット２３の当接面２３ａと、第１の載置マット２１が隣接する第２の載置マット２２の側面２２ｂとが、第１の載置マット２１の上面２１ａに載置された帳票の一の隅を構成する２辺をガイドするガイド面として機能する。
また、図８に示すように、読取対象Ｔとしての本や帳簿等の厚い冊子を開いた状態で、その記載内容の画像を撮影するときは、第２の載置マット２２の側面２２ｂが冊子の背表紙の背側を案内するガイド面として機能すると共に、ガイドマット２３の当接面２３ａが第１の載置マット２１の上面２１ａおよび第２の載置マット２２の上面２２ａに載置された冊子の背表紙と直交する方向の一の辺をガイドするガイド面として機能する。
【００２５】
上記のように構成すれば、複票をその糊付け部を第２の載置マット２２の側面２２ｂに沿わせ、糊付け部と直交する一の辺をガイドマット２３の当接面２３ａに沿わせて第１の載置マット２１の上面２１ａ上にセットし、押え板１０を閉作動させて、ガイドマット２３の上面、並びに第２の載置マット２２の上面２２ａ、および複票を介して第１の載置マット２１の上面７ａを押圧し、押え板１０の下面を載置台３の上面３ａに当接させたときに、押え板１０に押圧された複票により第１の載置マット２１の上面２１ａが沈み込み、その上面は押え板１０に密着して載置台３の上面３ａと面一になって水平が保たれ、カメラ部２のカメラとの距離は常に一定に保たれるので、複票をそのままセットしてその最上位の単票の記載内容の画像を撮影することができると共に、画像の取得後に、最上位の単票から順に、第２の載置マット２２の上面２２ａにめくりながら新たな単票の画像を撮影することが可能になり、複票の記載内容の読取作業における作業時間を更に短縮することができる。
【００２６】
以上説明したように、本実施例では、上記実施例１と同様の効果に加えて、別体に形成した第１および第２の載置台により載置台を２段に形成し、その一の面をガイドマットのガイド面として機能する当接面に当接させて配置するようにしたことによって、冊子のような一の辺を糊付け等で固定された厚い読取対象Ｔにおいても糊付け部等を剥すことなく、読取対象Ｔの記載面を押え板に密着させて水平にし、かつカメラ部のカメラとの距離を常に一定に保つことができ、撮影した画像の歪みや影によるＯＣＲ処理における不読や誤読の発生を防止して、認識正読率を向上させることができる。
【００２７】
なお、上記実施例においては、載置マットとガイドマットとは反発力の異なる材質で形成するとして説明したが、反発力が同じ材質のものを用いることも可能である、この場合に、押え板を押えつける力はより多く必要になるが、ガイドマットのガイド面に、別体に形成した載置マットを当接させて組合せることにより、ガイドマットと載置マットとは独立して変形するため、上記と同様の効果を得ることができる。
【図面の簡単な説明】
【００２８】
【図１】実施例１の非接触型スキャナ装置の斜視を示す説明図
【図２】実施例１の非接触型スキャナ装置の側面を示す説明図
【図３】実施例１の載置台の上面を示す説明図
【図４】実施例１の帳票の読取時の状態を示す説明図
【図５】載置マットとガイドマットを一体に接合したときの帳票の読取時の状態を示す説明図
【図６】実施例１の載置マットとガイドマットの他の形態を示す説明図
【図７】実施例２の載置マットとガイドマットの斜視を示す説明図
【図８】実施例１の冊子の読取時の状態を示す説明図
【符号の説明】
【００２９】
１    非接触型スキャナ装置
２    カメラ部
３    載置台
３ａ、７ａ、２１ａ、２２ａ  上面
４    アーム
５    照明部
６    開始スイッチ
７    載置マット
８、２３  ガイドマット
９ａ、９ｂ  ガイド面
１０  押え板
１１  ヒンジ部
１２  把手
１３  凹部
１５  接合部
１８  シート部材
２１  第１の載置マット
２２  第２の載置マット
２２ｂ  側面
２３ａ  当接面
【図１】
2008236566.tif 000003
【図２】
2008236566.tif 000004
【図３】
2008236566.tif 000005
【図４】
2008236566.tif 000006
【図５】
2008236566.tif 000007
【図６】
2008236566.tif 000008
【図７】
2008236566.tif 000009
【図８】
2008236566.tif 000010